(57)【要約】【課題】外光によるディスプレイのコントラストの低下を防止する機能を有する従来の視認性向上シートでは、ディスプレイからの映像光の一部がルーバー内の光吸収層２２で吸収され損失となり、ディスプレイの明るさが低下し、あわせて、視野角が狭くなるという課題があった。【解決手段】従来の視認性向上シートの構成に加えて、観察側に光を拡散させる機能を有する層を形成し、この追加した層の効果によってディスプレイ全体としての視野角を広くした。また、ディスプレイからの出射光の角度範囲を狭くしてルーバーで光吸収される割合を減少させ、上記光拡散層でより広い範囲に光を拡散させ、視野角を拡大した。【選択図】　　　　　図１
2004062099.tif 000002
【特許請求の範囲】
【請求項１】
ディスプレイの視認性を高める視認性向上シートであって、ディスプレイ表面から観察側に向かって、厚み方向に２層以上の層からなり、視認性向上シートの略厚み方向へ形成されている光吸収層とディスプレイからの光を透過させる光透過部からなる第１の層と、前記第１の層より観察側に設けられた光を拡散させる第２の層とからなることを特徴とする視認性向上シート。
【請求項２】
請求項１記載の視認性向上シートであって、前記光を拡散させる第２の層が屈折率の異なる２つの界面での屈折を利用したことを特徴とする視認性向上シート。
【請求項３】
シートの観察側最表面に第３の層として光を拡散するような微小な凹凸層を設けたことを特徴とする請求項１〜２記載の視認性向上シート。
【請求項４】
シートの観察側最表面に第３の層として反射率を低下させるような低反射層、もしくは無反射層を形成したことを特徴とする請求項１〜２記載の視認性向上シート。
【請求項５】
請求項１〜４記載の視認性向上シートを観察側表面に貼り合わせたことを特徴とする透過型投影スクリーン
【請求項６】
ディスプレイの表示部観察側に請求項１〜４記載の視認性向上シートを設けたことを特徴とするディスプレイ。
【請求項７】
ディスプレイの表示部観察側に設けられた前記第１の層の光透過部に入射するディスプレイから出光した光の視野範囲を表現する半値角度が、前記第１の層の光吸収層に吸収されずに光透過部から出光できる最大角度α２よりも小さいことを特徴とする請求項６記載のディスプレイ。
ここで、ディスプレイからの出光し光透過部に入射する光の視野範囲を表現する半値角度とは、ディスプレイから出光する映像光の最大輝度に対して、１／２の輝度になる角度。
また、α２は、
α２＝ｔａｎ−１（Ｌ／Ｄ）
ここで、Ｌ：第１の層内の光透過部の幅、Ｄ：第１の層内の光透過部の厚み方向の高さ。
【請求項８】
ディスプレイの表示部として透過型投影スクリーンを用いたことを特徴とする請求項７記載のディスプレイ。
【発明の詳細な説明】
【０００１】
【発明の属する技術分野】
本発明は、ディスプレイの観察側前面に設置し、ディスプレイの性能、特に、ディスプレイに外光が当たった時のコントラスト低下や、ぎらつき、像の映り込み等による性能の低下を防止する機能や、ディスプレイの有効光を好適に拡散させて視野角を広くする機能等、を有する視認性向上シート、および、このシートを利用したディスプレイおよびディスプレイ用部材（透過型投影スクリーン）に関するものである。
【０００２】
【従来の技術】
図１２に従来の視認性向上シート４１の例を示す。この図において、３は液晶、ＰＤＰ、有機ＥＬ、ＣＲＴ、リアプロジェクション等のディスプレイである。これらのディスプレイは、屋外等の外光の強い条件下で使用する時には、外光がディスプレイで反射して画像のコントラストを低下させ視認性が損なわれるという問題が発生している。この問題を解決するために透明なシートの一部に、光吸収層を形成し、それをディスプレイの観察側前面に貼り合わせる方法は良く知れられるところである。この光吸収層をシートの略厚み方向に設け、その他の部分を光透過部とし、斜めからディスプレイに当たる外光を吸収させコントラストの低下を防止する機能を有する層（以下、第１の層と呼ぶ）を有する視認性向上シートがルーバーと呼ばれるものである。図１２では２が第１の層であり、この第１の層２が粘着層４でディスプレイ３の表面に貼り合わされている。この第１の層２では、外光６は第１の層２の表面で屈折し、光吸収層２２へ入光するものがあり、そこで吸収される。この作用によってディスプレイ３で反射する外光６の量が減少するので外光によるコントラストの低下が改善される。
【０００３】
ところが、ディスプレイ３から出光する映像光５の一部も吸収されてしまうので明るさが低下してしまう。しかも、出光する映像光のうちある角度より大きい角度の光は光吸収層２２に吸収されてしまいディスプレイ３の視野角が狭まってしまうという問題が起こる。ここで、この角度について説明する。図１２（ａ）部のように、第１の層の光透過部の中央部（あるピッチで連続的に形成された光吸収層２２の隣り合う光吸収層との中央部と同じ）から出光するディスプレイ３の映像光５の光線を調べると、ディスプレイに垂直な方向を０°として−α１〜＋α１の範囲の光は第１の層中の光透過部２１を通過して出光するが、それ以外の方向に進む光は第１の層の光吸収層２２で吸収されてしまう。ここで、α１は第１の層の光透過部の幅Ｌ（第１の層の光吸収層の幅は狭く、光吸収層のピッチとほぼ同じ）と光透過部の厚みＤ（この図１２の例では、粘着層は薄く、観察側表面からディスプレイ表面までの距離とほぼ等しい）で決まり、α１＝ｔａｎ−１（Ｌ／２Ｄ）である。−α１から＋α１の角度範囲の方向に進むディスプレイからの映像光５は第１の層の表面で屈折して出光する。ここで、第１の層２の光透過部２１の屈折率がｎであるならば、α１の角度で第１の層の表面に入光する光は、β１＝ｓｉｎ−１（ｎ×ｓｉｎ（α１））の方向に出光する。従って、第１の層の光透過部２１の中央部から出光する光は−β１から＋β１への角度範囲へ拡がることになる。
【０００４】
ディスプレイ３から出光する位置が、第１の層の光吸収層２２に対しての幅方向の相対位置関係が異なる場合には第１の層２から出光できる光の角度範囲も異なる。図１２（ｂ）部のように、ディスプレイ光５が光吸収層２２の近傍から、つまり、光透過部２１の幅方向の端部から、出光する場合には、０°からα２の範囲の光が有効光となり、それ以外の角度の光は損失光となる。ここでα２は、
α２＝ｔａｎ−１（Ｌ／Ｄ）
で表される。
この式で解るように、Ｌ／Ｄが大きくない場合、２×α１≒α２である。従って、有効光の角度範囲は、図１２（ａ）では２×α１、図１２（ｂ）ではα２であり、おおむね等しい角度範囲の拡がりとなる。ここで、第１の層２の光透過部２１の屈折率がｎであるならば、α２の角度で表面に入光する光は、２β＝ｓｉｎ−１（ｎ×ｓｉｎ（α２））の方向に出光する。従って、光透過部の端部から発光する光は０°から＋β２への範囲へ拡がることになる。光透過部２１中央から端部へ至る間のディスプレイからの有効光は、おおむね２×α１の角度幅であることが解る。そのため、ディスプレイからの映像光がこの角度以上で出光している場合、損失光が発生し、明るい映像を観察者へ届けられなくなってしまう問題も併せ持っている。
また、光透過部２１の幅方向で上記図１２（ｂ）部説明の逆側の端部から出光するものもあり、この場合は、上記説明の符号を逆転させたものになり、−α２から０°の範囲の光が有効光となり、−β２から０°への角度範囲へ拡がることになる。従って、第１の層２の出光面からの出光範囲は−β２から＋β２の角度範囲となる。
【０００５】
第１の層２の光透過部２１の屈折率ｎが決まると視野範囲は角度α１およびα２で決まることになる。つまり、α１は光透過部２１の幅Ｌとその厚みＤで決まることになる。この比（Ｄ／Ｌ）が大きいと（つまり、開口部寸法Ｌに比べて深さＤが深くなると）外光の吸収度合いが大きくなりコントラストは向上するが、α１およびα２の値も小さくなるので視野角が狭くなる。このようにコントラストと視野角は相反する関係があり、実用性を考慮して適切な値に設定する必要がある。Ｄ／Ｌを１〜４程度に設定するのが普通である。例えば、Ｄ／Ｌ＝２であるとすると、α１＝１４．０°、α２＝２６．６°、ｎ＝１．６であるとするとβ１＝２２．８°、β２＝４５．７°、となる。ここで、β２付近の出光は光透過部の端部からディスプレイの光がぎりぎり出光する角度であり、非常に暗くなる。実効的な視野角としては、β１とβ２の中間あたりと考えられ、この場合の実効的な視野角は±３４°程度になる。このように従来の方式で光吸収層を形成した第１の層を用いると視野角が狭くなってしまう。
【０００６】
【発明が解決しようとする課題】
上記のように、外光によるディスプレイのコントラストの低下を防止する機能を有する従来の視認性向上シートでは、ディスプレイからの映像光の一部が第１の層内の光吸収層２２で吸収され損失となり、ディスプレイの明るさが低下し、あわせて、視野角が狭くなるという問題があった。
【０００７】
【課題を解決する手段】
第１の発明は、ディスプレイの視認性を高める視認性向上シートにおいて、この視認性向上シートはディスプレイ表面から観察側に向かって、厚み方向に２層以上の層とし、視認性向上シートの略厚み方向へ形成されている光吸収層を含みディスプレイからの光を透過させる光透過部からなる第１の層とその他の少なくとも１層以上の別の層からなる。前記第１の層より観察側に光を拡散させる機能を有する第２の層を形成したことを特徴とする。第１の層の光吸収層を含む層で制限された視野角を、この層の観察側に、光を拡散する機能を有する第２の層を追加し、この第２の層の効果によってディスプレイ全体としての視野角（拡散角）を広くした。
【０００８】
第２の発明は、上記の視認性向上シートであって、前記光を拡散させる機能を有する第２の層が屈折率の異なる２つの界面での屈折を利用したことを特徴とする。光拡散層を屈折率の異なる界面での屈折による光拡散効果を利用することによって、ディスプレイの全体としての表面（すなわち、視認性向上シートの観察側表面）を平面にすることが可能になり、表面にレンチキュラー形状等があると発生する傷つきを防止したり、平らな表面を利用した付加的な加工が可能になる。
【０００９】
第３の発明は、上記の視認性向上シートであって、シートの観察側最表面に第３の層として光を拡散するような微小な凹凸層を設けたことを特徴とする。この微小な凹凸層によって映り込みを防止することができる。
【００１０】
第４の発明は、視認性向上シートの観察側最表面に第３の層として反射率を低下させるような低反射層、もしくは無反射層を追加形成したことを特徴とする。
【００１１】
第５の発明は、図１３のように透過型投影スクリーンの観察側表面に上記視認性向上シートを貼り合わせたことを特徴とする。
【００１２】
第６の発明は、図１７のようにディスプレイ３の表示部観察側に上記視認性向上シート１を設けたことを特徴とする。
【００１３】
第７の発明は、ディスプレイの表示部観察側に設けられた前記第１の層の光透過部に入射するディスプレイから出光した光の視野範囲を表現する半値角度が、前記第１の層の光吸収層に吸収されずに光透過部から出光できる最大角度α２よりも小さいことを特徴とする。第１の層内の光透過部の幅をＬ、第１の層内の光透過部の高さ（厚み）をＤとした時、α２は、
α２＝ｔａｎ−１（Ｌ／Ｄ）となる。
ディスプレイの映像光が光吸収層で吸収される部分が僅かになるように、ディスプレイ単独の拡散角（視野角）を狭くし、ディスプレイの映像光の利用率（透過率）を高くし、明るい映像を観察者へ提供するものである。
【００１４】
ここで、ディスプレイの映像光の視野角（拡散範囲）を表す尺度の１つである半値角とは、輝度等で表現されるディスプレイの明るさの出光（観察）角度依存性の測定を行い、最大の明るさの値の１／２の値（半値）になる出光角度のことである。多くのディスプレイでは、通常、正面（０°）の明るさが一番であり、出光角度の増加に伴い徐々に暗くなり、上に凸の曲線になる。図１１（ａ）および図１１（ｂ）は、明るさの出光角度分布曲線の例である。この例では、水平方向（８１および８３）と垂直方向（８２および８４）で明るさ分布が異なる例示であるので、２つのカーブが１つの図面で表現されている。
【００１５】
第８の発明は、上記ディスプレイであって、ディスプレイの表示部として透過型投影スクリーンを用いたことを特徴とする。
【００１６】
【発明の実施の形態】
本発明の視認性向上シート構成例の一つを図１に示す。この例では第１の層（光吸収層を含む層）２の観察側に第２の層として光拡散層３１が設けられている。この第２の層の光拡散層３１は、第１の層２とほぼ同じ屈折率を有する基材（例えば、第１の層と第２の層の屈折率差が０．１以内）と、この基材と屈折率の異なる微細な粒子（ガラスビーズや樹脂ビーズ製で、基材との屈折率差が、好ましくは０．２以内のもの、より好ましくは０．０５以内のもの）、すなわち拡散剤から構成されている。ここで、第１の層２は上記従来技術例のルーバー（Ｄ／Ｌ＝２）と同じ構造とした。従って、第１の層単独の視野角は実効的に±３４°程度である。ここで、第２の層の基材の厚みおよび屈折率、拡散剤の濃度と屈折率を調整し、半値角が±２０°であるようなガウス分布に近い光拡散特性を有する光拡散層３１を第２の層として観察側に追加すると実効的な視野角を±５５°程度に拡大することができる。このように本発明の構成の視認性向上シートにすると視野角を大幅に拡大することができる。
【００１７】
この第１の層２の表面に形成する第２の層は、拡散剤を含む層ではなく、図２に示すように複数の微小なレンズ形状を形成したレンチキュラーレンズ層３２とすることもできる。この方がディスプレイからの光の拡散剤による後方散乱を無くし、第２の層である光拡散層の透過率を高くでき光効率を良くすることができる。また、光拡散剤を含む層３１で生じる外光の反射をなくしコントラストをさらに高めることができて好ましい。
【００１８】
本発明のさらに好ましい構成は第７の発明の態様である。ディスプレイから出光する光の拡散を±１８０°等方的ではなく、ある角度範囲に狭くして光吸収層に吸収されるディスプレイからの光の割合を減少させるようにすることである。例えば、前記図１２の例（Ｄ／Ｌ＝２）で説明すれば、既に述べたように−１４．０°〜＋１４．０°以外の範囲の方向に進む光は光吸収層２２での吸収が起こり、−２６．６°〜＋２６．６°の角度範囲以外の光は全て光吸収層２２で吸収されてしまう。従って、ディスプレイから出光する光の拡がる範囲を−２６．６°〜＋２６．６°に近付けるとそれだけ光の利用率が上がる。光の利用効率を最優先とすると、−１４°〜＋１４°の角度範囲以内とすることが望ましいことになる。
【００１９】
一方、このようにディスプレイからの光の拡散範囲を狭くすると視野角もそれに従って狭まるので第１の層のさらに観察側で光を拡散させる必要がある。よって、本発明の好ましい構成例の一つはディスプレイからの出射光の角度範囲を狭くして第１の層で光吸収される割合を減少させ、第１の層の表面でより広い範囲に光を拡散させることである。具体的には、図１の光学条件（Ｄ／Ｌ＝２）の視認性向上シートに対して、ディスプレイからの映像光を半値角が±１４°の拡散光とするとルーバーの屈折率が１．６であるから第１の層からの出光範囲が±２０°程度になる。第１の層の観察側に第２の層として半値角が±２０°程度の光拡散層、もしくはレンチキュラーレンズ形状を形成した層を設けると実効的な視野角を±４０°にすることができ、多くの観察者にディスプレイの映像を提供できる。
【００２０】
ディスプレイの映像光の拡散範囲をある角度範囲に限定することは光の拡散角度の設計を透過型投影スクリーンで行っているリアプロジェクションディスプレイでは容易である。透過型投影スクリーンの垂直方向の拡散角の設計は、透過型投影スクリーンを構成する光拡散シート内の拡散剤量の調整等により容易であり、また、透過型投影スクリーンの水平方向の拡散角は、透過型投影スクリーンを構成する光拡散シート内の水平方向拡散用レンチキュラーレンズの設計変更等により調整できる。そのため、例えば、透過型投影スクリーンの垂直方向の拡散角を拡散剤の含有量を調整することにより垂直方向半値角が５°程度のガウス分布の拡散とすれば、上記半値角が±２０°程度の光拡散層を有する視認性向上シートと組み合わせることによって実効的に±２５°程度の垂直拡散角とすることができる。
【００２１】
本発明の別の好ましい構成例は次のようなものである。図３に示すように第１の層２の構成は図１２と同じとし、第１の層２のさらに観察側表面に入射した光をディスプレイに垂直な方向を挟んで対称に２つの方向に進ませるような鏡面対称な山形のプリズムレンズ形状層３３を形成する。ディスプレイから出光する映像光は既にある角度範囲の拡散性を持っているので、第１の層２の観察側で視野角を拡げるために、２つ以上の方向にディスプレイから出光する映像光を分配する層を設けることによっても視野角を拡げることができる。
【００２２】
本発明のさらに別の好ましい構成例は図４に示すような第２の発明の態様である。この構成例でも第１の層２の構造は図１２に示したものと同一としてある。そして、図２に示したものと同様にレンチキュラーレンズ層３２が形成されている。しかしながらこの態様では、レンチキュラーレンズ層３２の観察側にもう一層、レンチキュラーレンズを形成する層の屈折率よりも低い屈折率の材料の層３４を形成した。このようにするとレンチキュラーレンズ層３２と低屈折率材料の層３４との界面により光を拡散することができ、しかも観察側最表面がフラットになるので表面にレンチキュラーレンズ等の凹凸形状があることにより生じる傷付きが起こりにくくなり、さらに、帯電防止などの機能をコーティングで追加付与することも容易にできるようになる。
【００２３】
レンチキュラーレンズ層３２の屈折率と、その上に形成されたレンチキュラーレンズを形成する層の屈折率よりも低い屈折率の材料の層３４について検討する。両者の屈折率差は、大きいほうが屈折による拡散作用が大きくなり望ましいが、実用可能な材料を検討すると、レンチキュラーレンズ層３２の材料としては、屈折率が１．５〜１．６程度のポリカーボネート樹脂やポリスチレン樹脂、アクリル樹脂、エポキシ樹脂等から選択し、低屈折率層３４の材料としては、屈折率が１．３〜１．４程度のフッ素樹脂を選択することになり、結果として屈折率差は０．２〜０．３程度とすることが現実的である。
【００２４】
本発明は以上述べた以外にも様々な変形が可能であり、図５に示すように第１の層２の表面にレンチキュラーレンズ層３６が形成されていなくてもルーバーの観察側の面から少し離れた位置にあっても問題はない。この構成であれば第１の層２とレンチキュラーレンズ層３６とその下の層を別々に作製し、貼り合わせることによって製造することができ量産性を良くすることができる。また、図６に示すように光吸収層を含む第１の層２とディスプレイ３の間に透明層３５があっても良い。さらに図７の２３に示すように光吸収層の断面形状が直線状に見えるような幅が狭い長方形ではなく、くさび状（台形）としても良い。
【００２５】
また、図８のように、光学的に透明な基材３９の上に第１の層２を形成し、さらにその観察側に光拡散機能を有する第２の層を形成し、基材３９の反対側に粘着剤層４を形成しても良い。図８では、第１の層２は、図７のように光吸収層の断面形状をくさび状とし、第２の層としては、山形プリズムレンズ３３と低屈折率層３４を積層したものを用いた。このような構成にすると、基材３９をベース基材として、第１の層内の光透過部２１、光吸収層２３、山形プリズムレンズ３３、低屈折率層３４を、順次、コーティング等によって形成することが可能になり、生産性を高めることができ好ましい。第２の層としては、この他にも、レンチキュラーレンズ層やこの層と低屈折率層を組み合わせたものや拡散材層としても良い。
【００２６】
また、光吸収層の断面形状は上述の形状（長方形やくさび状（台形））に限定されるものではない。光吸収層は、想定される外光がディスプレイに向かう方向とディスプレイの観察者の方向を考慮して、図９で示すように観察側から視認性向上シート全体を見た場合、（ａ）水平方向、（ｂ）垂直方向、または（ｃ）格子状に形成されていても良いし、または、（ｄ）ディスプレイからの光を透過させる透過部２０が円柱状でその他の部分が光吸収層となっていても良い。本発明の視認性向上シートの表面は様々な性能を付与するための変形が可能である。すなわち、本発明の視認性向上シートの最表面の材料の屈折率よりも低い屈折率の材料を可視光光線の波長の１／４程度の厚みで多層コーティングして無反射層や低反射層を形成しても良い。また、第３の発明の態様のように、映り込みを防止する表面のマット化、さらに、傷付きを防止するハードコート、あるいは、ゴミの付着を防止する帯電防止等々、用途に応じた機能層の付加ができる。
【００２７】
さらに、視認性向上シート内の第１の層の光吸収層は、ディスプレイ面に垂直に設けられている場合で説明を行ってきたが、ディスプレイの使用環境（外光がディスプレイに当たる向き、主な観察者の方向（位置）等）が明確な場合、その条件に合わせて、光吸収層はディスプレイの垂直方向からある傾きを持たせて作製し、外光の吸収率の向上と視野角度のバランスを取ることができる。
【００２８】
図１０（ａ）、（ｂ）は、大型なディスプレイ装置３が、ディスプレイを利用する観察者７よりも上方にあり、外光（太陽光を想定）６がさらに上方から来る場合を想定したものである。この場合、外光６は上方からのみであるので図９（ａ）のように第１の層の光吸収層２２は水平方向へ伸びる方向に設置されていれば良い。また、視認性向上シート内の第１の層内の光吸収層２２は、外光６の吸収を良くし、観察者７への光拡散を有利にするために、図１０（ｃ）のように、ディスプレイ面から垂直ではなく、やや下向きに形成したものである。
【００２９】
【実施例１】
図１の構成の視認性向上シートの作製
第１の層の光透過部の幅：Ｌ＝０．５ｍｍ
第１の層の厚み：Ｄ＝１ｍｍ
第１の層の光透過部の屈折率：１．５９
第１の層の光吸収層の厚み（幅）：０．０２ｍｍ
第１の層の光吸収層の配置：図９（ａ）のタイプ
第２の層である表面の光拡散層：０．１ｍｍ厚みで、拡散層の半値角±２０°
粘着層の厚み：０．０３ｍｍ
【００３０】
【実施例１の作製方法】
第１の層の光透過部用の層と光吸収層を１層づつ２層にした形でポリカーボネート樹脂をシート状に押出し、そのシートを熱軟化点温度以上の状態で積層し、熱融着させる。これを１ｍｍ厚に切断することにより第１の層２を作製した。この第１の層２の上に第２の層として光拡散剤を含むＵＶ硬化型のアクリレート樹脂（屈折率１．５８）をコーティングし、その後ＵＶ照射して硬化させ光拡散層３１を形成した。そして、その反対面にディスプレイ等への貼り合わせ用として、粘着剤をコーティングし粘着層４とした。こうして作成した視認性向上シートを１０インチサイズで水平方向の半値角±１４°の液晶ディスプレイ貼り合わせて評価したところ、第２の層である光拡散層３１の付加されていないルーバーと同様に外光によるコントラストの低下を防止できた。また、水平方向の視野角は±４０°と大幅に拡大された。
【００３１】
【実施例２】
図２の構成の視認性向上シートの作製
第１の層の光透過部の幅：Ｌ＝０．５ｍｍ
第１の層の厚み：Ｄ＝１ｍｍ
第１の層の光透過部の屈折率：１．５９
第１の層の光吸収層の厚み（幅）：０．０２ｍｍ
第１の層の光吸収層の配置：　図９（ｂ）のタイプ
表面をレンチキュラーレンズ（ピッチ０．０６２ｍｍ、レンズの曲率半径０．０３８ｍｍ、この時の拡散の半値角は約±２０°）としたもの
粘着層の厚み：０．０３ｍｍ
【００３２】
【実施例２の作製方法】
実施例１と同じ方法で第１の層２を作製し、それを上記レンチキュラーレンズの逆型を用いてプレス成形し、片面にレンチキュラーレンズ３２を形成した。そして、その反対面に粘着剤をコーティングし粘着層４とした。こうして作成した視認性向上シートを１５インチサイズで水平方向の半値角±１４°の液晶ディスプレイ貼り合わせて評価したところ、レンチキュラーレンズの付加されていないルーバーと同様に外光によるコントラストの低下を防止できた。また、水平方向の視野角は±４０°と大幅に拡大された。
【００３３】
【実施例３】
図４の構成の視認性向上シートの作製
第１の層の光透過部の幅：Ｌ＝０．５ｍｍ
第１の層の厚み：Ｄ＝１ｍｍ
第１の層の光透過部の屈折率：１．５９
第１の層の光吸収層の厚み（幅）：０．０２ｍｍ
第１の層の光吸収層の配置：図９（ａ）のタイプ
表面をレンチキュラーレンズ（ピッチ０．０６５ｍｍ、レンズの形状は、横径０．０６ｍｍ、縦径０．０４ｍｍの楕円の一部）として、さらにその上に低屈折率層（屈折率１．３、厚み０．１ｍｍ）を形成した。この時の表面のレンチキュラーレンズによる拡散の半値角は約±１５°であった。
粘着層の厚み：０．０３ｍｍ
【００３４】
【実施例３の作製方法】
実施例１と同じ方法で第１の層２を作製し、それを上記レンチキュラーレンズの逆型を用いてプレス成形し、片面にレンチキュラーレンズ３２を形成した。レンチキュラーレンズの上に低屈折率層３４としてフッ素樹脂（屈折率１．３、厚み０．１ｍｍ）をコーティングした。そして、その反対面に粘着剤をコーティングし粘着層４とした。水平方向半値角±４０°、垂直方向半値角±５°の透過型投影スクリーンの観察側に視認性向上シートのレンチキュラーレンズ面が観察側に向くように貼り合わせた。この視認性向上シート＋透過型投影スクリーンに対して、液晶プロジェクターを光源として評価を行った。外光のあたる明るい環境下でもコントラストが高く、映り込みのない、垂直方向±２０°の視野角のディスプレイが得られた。
【００３５】
【実施例４】
図８の構成の視認性向上シートの作製
第１の層の光透過部の幅：Ｌ＝０．１２ｍｍ
第１の層の厚み：Ｄ＝０．２ｍｍ
第１の層の光透過部の屈折率：１．５５
第１の層の光吸収層の厚み（幅）：ディスプレイ側５μｍから観察側２０μｍへ増加するもの
第１の層の光吸収層の配置：図９（ａ）のタイプ
基材：ＰＥＴ（２０μｍ厚）
観察側に山形状プリズムレンズ：ピッチ０．０２ｍｍ
【００３６】
【実施例４の作製方法】
基材３９（ＰＥＴ、２０μｍ厚）の上に第１の層の透過部を透過部の台形形状の逆型を用いてＵＶ硬化法により形成する（ここで、ＵＶ樹脂はウレタンアクリレートで硬化後の屈折率１．５５）。次に、第１の層の光吸収層を形成するために２液硬化型黒インクをワイピング法により溝に埋め込み硬化させる。その上にピッチ０．０２ｍｍの山形プリズム３３を山形プリズムレンズの逆型を用いてＵＶ硬化法によりプリズムレンズを形成した（ここで、ＵＶ樹脂はウレタンアクリレートで硬化後の屈折率１．５５）。さらに、その上に低屈折率層３４を屈折率１．３のフッ素樹脂のコーティングにより形成した。これにより垂直に入光した光は１０°斜めに進む。図１３のように、この視認性向上シート１を水平方向半値角±３０°、垂直方向半値角±１０°（図１１（ａ）の輝度分布）の透過型投影スクリーン５１の表面に、観察側からディスプレイを見た時に、第１の層の光吸収層および山形プリズムレンズが図９（ａ）のように水平方向の向きに並ぶように粘着剤で貼り合わせた。図１４のように、上記透過型投影スクリーンを表示部にセッティングし、液晶プロジェクターで投影したところ、垂直方向半値角±２０°（図１１（ｂ）の輝度分布（但し、図１１（ａ）との比較において、縦軸は相対的は輝度（明るさ）であり、輝度の絶対値を考慮した図ではない））のディスプレイが得られ、日光のあたる明るい環境でもコントラストの良い映像が得られた。
【００３７】
【発明の効果】
第１の発明によれば、外光がディスプレイにあった時に、外光を吸収し、コントラストの低下を防止する機能等を有する従来型の視認性向上シートの観察側に、第２の層として光を拡散する機能を有する層を設けることによって、従来の視認性向上シートで問題となっていた視野角の狭さを改善することができ、従って、多くの観察者に視認性の高い映像を提供することが可能になる。
第２の発明では、上記の第２の層である光拡散層を屈折率の異なる材料を使用し、そこに生じる界面で光拡散効果を生み出すものであり、最表面をフラットにしても、上記界面での屈折作用によって光拡散を行うので拡散剤を利用した拡散層と比べ光利用効率が良く、また、表面を傷付きにくくすることができる。また、この最表面を活用して、第３の発明と第４の発明の追加機能の付与も容易にできる。そのため、さらに高性能の視認性向上シートを提供できる。
第３の発明は、視認性向上シートの観察側表面に微小凹凸層を設け、拡散の度合いをさらに高めると共に、表面の映り込みを低減し、視認性向上シートの性能をアップさせるものである。
第４の発明は、視認性向上シートの観察側表面に低反射層や無反射層を設け、視認性向上シートの性能をさらにアップさせるものである。
第５の発明は、上記視認性向上シートを透過型投影スクリーンに貼り合わせて、外光による視認性の低下を防止した性能の良い透過型投影スクリーンを提供するものである。
第６の発明は、上記高性能の視認性向上シートをディスプレイの観察側に装着し、視認性の高いディスプレイを提供するものである。
第７の発明は、視認性向上シートの第１の層でのディスプレイからの映像光の損失がわずかな範囲内に収まるようにディスプレイからの映像光の出光角度を狭くし、視認性向上シートによる光量損失を低減し、より明るい映像を観察者へ提供するものである。
第８の発明は、性能の良いディスプレイとして、透過型投影システムを提供するもので、プロジェクターの性能と視認性向上シートの性能を充分に発揮させるように透過型スクリーンを含めた３要素の設計を行い、上記視認性向上シートを透過型投影スクリーンに貼り合わせて、外光による視認性の低下を防止した性能の良い透過型投影スクリーンを提供し、明るく、好適な視野範囲を持つ性能の良いディスプレイを提供するものである。
【図面の簡単な説明】
【図１】本発明の視認性向上シートの例（第２の層として表面（観察側）に拡散層を設けたもの）
【図２】本発明の視認性向上シートの例（第２の層として表面（観察側）にレンチキュラーレンズ層を設けたもの）
【図３】本発明の視認性向上シートの例（第２の層として表面（観察側）に山形状のプリズムレンズ層を設けたもの）
【図４】本発明の視認性向上シートの例（第２の層として表面（観察側）にレンチキュラーレンズ層を設け、さらに低屈折率層を設けたもの）
【図５】本発明の視認性向上シートの例（第１の層から離れた位置に第２の層としてレンチキュラーレンズ層を設けたもの）
【図６】本発明の視認性向上シートの例（第１の層とディスプレイが離れているもの）
【図７】本発明の視認性向上シートの例（第１の層の光吸収層の断面形状が台形のもの）
【図８】本発明の視認性向上シートの例（第１の層の光吸収層の断面形状が台形で、第１の層とディスプレイが離れていて、第２の層として表面（観察側）に山形状のプリズムレンズを設けたのもので、さらに低屈折率層を設けたもの）
【図９】観察側から見た第１の層の光吸収層の位置の説明図（例示）である。
【図１０】第１の層の光吸収層がディスプレイの垂直面から下側へ傾いている視認性向上シート例の説明図である。
【図１１】ディスプレイの明るさ分布の説明図である。
【図１２】従来技術の視認性向上シートの説明図である。
【図１３】透過型スクリーンの観察側に視認性向上シートを配置した説明図である。
【図１４】ディスプレイの表示部へ視認性向上シート付きの透過型スクリーンを設置した説明図である。
【図１５】ディスプレイの表示部へ視認性向上シートを設置した説明図である。
【符号の説明】
Ｌ：第１の層の光透過部の幅
Ｄ：第１の層の光透過部の高さ（厚み）
Ｐ：最大輝度（明るさ）
Ｐ／２：半値（最大輝度の１／２の輝度（明るさ））
１　本発明の視認性向上シート
２　第１の層（ルーバー）
３　ディスプレイ
４　視認性向上シートの粘着層
５　ディスプレイからの映像光
６　外光
７　ディスプレイの観察者
８　太陽
９　地面または床面
２０、２１　第１の層内の光透過部
２２、２３、２４　光吸収層
３１　光拡散剤層
３２、３６　第２の層として設けたレンチキュラーレンズ
３３　第２の層として設けた山形プリズムレンズ
３４　低屈折率層
３５　透明層
４１　従来技術の視認性向上シート
５１　透過型投影スクリーン
６１　ディスプレイ
６２　光源
６３　ミラー
６４　ディスプレイの表示部
８１、８３　水平方向の輝度分布曲線
８２、８４　垂直方向の輝度分布曲線
【図１】
2004062099.tif 000003
【図２】
2004062099.tif 000004
【図３】
2004062099.tif 000005
【図４】
2004062099.tif 000006
【図５】
2004062099.tif 000007
【図６】
2004062099.tif 000008
【図７】
2004062099.tif 000009
【図８】
2004062099.tif 000010
【図９】
2004062099.tif 000011
【図１０】
2004062099.tif 000012
【図１１】
2004062099.tif 000013
【図１２】
2004062099.tif 000014
【図１３】
2004062099.tif 000015
【図１４】
2004062099.tif 000016
【図１５】
2004062099.tif 000017